(57)【要約】この発明は、ハウジングと、ハウジング内に配置された、画像データを記憶するための画像記憶手段と、画像記憶手段に関連付けられた、その識別のための第１のコード（１２）と、データベース内の画像データを突き止めるための第２のコード（１３）とを含む、撮像装置（１１）に関する。好ましくは、撮像装置は単回使用のために好適である。
2005526428.tif 000002
【特許請求の範囲】
【請求項１】
撮像装置であって、
ハウジングと、
前記ハウジング内に配置された、画像データを記憶するための画像記憶手段と、
前記画像記憶手段に関連付けられた、その識別のための第１のコードと、
データベース内の画像データを突き止めるための第２のコードとを含む、撮像装置。
【請求項２】
単回使用に好適であることを特徴とする、請求項１に記載の撮像装置。
【請求項３】
前記第１のコードは前記画像記憶手段に関連付けられる、請求項１または請求項２に記載の撮像装置。
【請求項４】
前記第１のコードは前記ハウジングに関連付けられる、請求項１または請求項２に記載の撮像装置。
【請求項５】
前記第２のコードは、前記ハウジングに取り外し可能に接着されるラベルのようなコーディング手段上に配置される、前記請求項のうちの１つ以上に記載の撮像装置。
【請求項６】
前記第２のコードは、前記撮像装置のパッケージング上に配置される、請求項１から請求項４のうちの１つ以上に記載の撮像装置。
【請求項７】
前記画像記憶手段は写真用フィルムを含む、請求項１から請求項６のうちの１つ以上に記載の撮像装置。
【請求項８】
前記画像記憶手段はデジタル記憶手段を含み、前記撮像装置は画像情報を記録するためのデジタル撮像手段をさらに含む、請求項１から請求項６のうちの１つ以上に記載の撮像装置。
【請求項９】
画像を利用可能にするためのシステムであって、
第２のコードを入力し、かつ画像を閲覧するための少なくとも１つの第１のコンピュータと、
画像を記憶するための少なくとも１つのデータベースを備えた少なくとも１つの第２のコンピュータと、
前記コンピュータを接続するための少なくとも１つのコンピュータネットワークとを含み、
画像は第１のコードに関連付けられ、前記第１のコードは前記第２のコードと同じであるかまたは前記第２のコードは前記第１のコードに関連付けられる、システム。
【請求項１０】
請求項１から請求項８のうちの１つ以上に記載の少なくとも１つの撮像装置を含み、前記撮像装置の前記第１のコードおよび前記第２のコードは前記データベース内の前記第１のコードおよび前記第２のコードに対応する、請求項９に記載のシステム。
【請求項１１】
前記第１のコードはデータベース内のフィールドである、請求項９または請求項１０に記載のシステム。
【請求項１２】
前記第２のコードはインターネットアドレスを含む、請求項９から請求項１１のうちの１つ以上に記載のシステム。
【請求項１３】
前記第２のコードの少なくとも一部分は前記データベース内のフィールドにおいて探索
可能である、前記請求項のうちの１つ以上に記載のシステム。
【請求項１４】
前記データベースはインターネットサイトを介してアクセス可能である、請求項９から請求項１３のうちの１つ以上に記載のシステム。
【請求項１５】
前記第１のコードの一部はインターネットアドレス（ＵＲＬ）を含む、請求項１４に記載のシステム。
【請求項１６】
人が前記インターネットサイトを介して前記第２のコンピュータから前記第１のコンピュータへ画像をダウンロード可能である、請求項９から請求項１５のうちの１つ以上に記載のシステム。
【請求項１７】
人が前記インターネットサイトを介して画像を備えた写真プリントを注文可能である、請求項９から請求項１５のうちの１つ以上に記載のシステム。
【請求項１８】
画像を分配するための方法であって、
単回使用のための撮像装置の画像記憶手段内に画像データを記録するステップを含み、前記データは、前記画像データの識別のための第１のコードに関連付けられ、さらに、
ハウジングから第２のコードを除去または置き換えるステップと、
前記画像データが関連付けられた前記第１のコードと併せて、前記画像データを画像記憶手段からデータベースに転送するステップと、
コンピュータを用いて前記データベースに接続し、第２のコードに基づいて前記画像データを検索するステップとを含み、
前記画像は前記第１のコードに関連付けられ、前記第１のコードは前記第２のコードと同じであるかまたは前記第２のコードは前記第１のコードに関連付けられる、方法。
【請求項１９】
所望の画像を選択するステップと、
選択された画像をプリントするステップと、
プリントされた画像を送るステップとをさらに含む、請求項１８に記載の方法。
【発明の詳細な説明】
【技術分野】
【０００１】
この発明は単回使用のための写真カメラの分野および写真を利用可能にするためのシステムに関する。写真は一般的に、後に特定の瞬間を思い起こすことを可能にする対象を撮影する。写真カメラまたは撮像装置は、写真を撮影することが必要である。写真を閲覧するために、さらにプリントを作成することが可能である。
【背景技術】
【０００２】
アミューズメントパークにおいてまたは大規模な行事の間に、主催者によってしばしば写真サービスが提供される。そのようなサービスはしばしば、主催者が写真を撮影してプリントし、売店でそれらのプリントを当事者に販売することを必然的に伴なう。そのようなサービスは、公衆から非常に歓迎される。しかしながら、写真は一般公衆自身によって撮影されないので、彼らは写真の内容に影響を与えることができない。
【発明の開示】
【課題を解決するための手段】
【０００３】
この発明は、とりわけ上述の欠点をなくす装置を提供する。この目的のために、この発明は以下を提供する。
【０００４】
撮像装置であって、
ハウジングと、
ハウジング内に配置された、画像データを記憶するための画像記憶手段と、
画像記憶手段に関連付けられた、その識別のための第１のコードと、
データベース内の画像データを突き止めるための第２のコードとを含む、撮像装置。
【０００５】
この発明の１つの利点は、そのような撮像装置がたとえばアミューズメントパークまたは行事により、公衆の人員に彼ら自身が画像を記録可能なように利用可能にされた場合に明らかとなる。画像の記録の後で、単回使用のための撮像装置は主催者に提出されて、その後に画像はその作成者に対し利用可能にされることができる。第１および第２のコードは、正しい製作者が正しい画像を受け取ることを確実にできるよう、画像および画像の作成者を識別する役割を果たす。好ましくは、撮像装置は単回使用に好適である。
【０００６】
好ましくは、第１のコードは画像記憶手段に関連付けられる。もし画像記憶手段が写真用フィルムを含み、これが第１のコードに関連付けられていれば、画像データをスキャンしてデータをデータベース内に記憶して、データをコードに関連付けることが可能である。
【０００７】
さらに好ましい実施例においては、第１のコードはハウジングに関連付けられる。単回使用のための撮像装置の場合、ハウジングの機能の一部はフィルム一巻のハウジングの機能と同様、すなわち感光性フィルム材料を外部から遮蔽することである。そのような場合には、第１のコードとフィルム材料上に記録された画像情報との間の結合は、第１のコードをハウジング上に配置することにより、十分に第１のコードにリンクされる。
【０００８】
この発明の文脈において、単回使用のための撮像装置は、画像または写真を作成する人がカメラを得て、写真を撮影した後に再びそれを提出する点で定義される。しかしながら、カメラまたはその部品が再利用されて、それにより後の人が単回使用のための撮像装置としてこのカメラまたはその部品を得ることは、大いにあり得る。カメラが使用の後に破壊されることもまたあり得る。
【０００９】
特に好ましい実施例においては、第２のコードは、ハウジングに取り外し可能に接着されるラベルのようなコーディング手段上に配置される。この実施例に従ったラベルを除去することにより、写真を撮影した人はハウジングからコードを除去する。これによりこの人は、後の段階でこの人が写真へのアクセスを得るために用い得るコードを得る。写真へのアクセスを得るための１つの選択肢は、コードをコンピュータに入力することであり、これを用いることにより正しい画像がデータバンクから検索され得る。これはたとえば、インターネットを用いてインターネットサイト内で起こり得る。
【００１０】
さらに好ましい実施例においては、画像記憶手段はデジタル記憶手段を含み、撮像装置は画像情報を記録するためのデジタル撮像手段をさらに含む。電子装置産業の費用に関連する開発に依存して、単回使用のための撮像装置を費用対効果の良い態様で製造することが、遅かれ早かれ可能になろうが、そのような撮像装置はこの発明に従った装置に適用可能である。
【００１１】
この発明のさらなる局面は、以下を提供する。
【００１２】
画像を利用可能にするためのシステムであって、
第２のコードを入力し、かつ画像を閲覧するための少なくとも１つの第１のコンピュータと、
画像を記憶するための少なくとも１つのデータベースを備えた少なくとも１つの第２のコンピュータと、
コンピュータを接続するための少なくとも１つのコンピュータネットワークとを含み、
画像は第１のコードに関連付けられ、第１のコードは第２のコードと同じであるかまたは第２のコードは第１のコードに関連付けられる、システム。
【００１３】
そのようなシステムは、画像が第１のコードに関連付けられていることを知っている人が、このコードまたは第１のコードに関連付けられた第２のコードを用いて、コンピュータネットワークを介してデータバンクから検索可能であるという利点を有する。ここで、その人は、その人自身で写真を撮影したか、またはその人は写真が存在することを知って写真を探索するためにコードへのアクセスを得ていてもよい。
【００１４】
さらなる実施例においては、このシステムにより人に利用可能にされる写真を撮影する目的で、これらの写真は上述の単回使用のための撮像装置を用いて撮影され、撮像装置の第１のコードおよび第２のコードは、データバンク内の第１のコードおよび第２のコードに対応する。
【００１５】
この実施例に従うと、人は第１のコードが設けられた撮像装置または写真カメラを得るが、第１のコードは、ハウジング上または画像記憶手段内に配置された第１のコードにより記録された画像を識別する。画像または写真の画像情報はデータベース内に記憶され、ここからその人が第１のおよび／または第２のコードを用いて画像を検索することができる。そのようなシステムの利点は、画像材料が検索コードを有する者のみに利用可能なことである。たとえば上述のアミューズメントパークまたは行事の例において重要であるさらなる利点は、その人自身が画像の内容がどうなるかを判断できることである。
【００１６】
さらなる実施例に従うと、第１のコードはデータベース内のフィールドである。このフィールドは、たとえば画像を探索するためのキーフィールドとして用い得る。
【００１７】
好ましくは、第２のコードはインターネットアドレスを含む。画像の検索のためにインターネットが使用されれば、有利である。これはたとえば、インターネットへのアクセス
を有する人口が増大しており、これがたとえば一般的に用いられるインターネットブラウザ技術を用いることにより非常にユーザフレンドリーな情報アクセスシステムを可能にするので、重要である。その実用的な展開は、たとえば第１のコードは一意の数値コードであり、第２のコードはインターネットＵＲＬおよび同じ数値コードを含む。たとえば英数字コードまたは混合コード（mixed code）もまた可能である。
【００１８】
好ましくは、データベース内のフィールドにおいて、第２のコードの少なくとも一部が検索され得る。もしこの場合に第２のコードの一部が第１のコードと同じであれば、比較的簡単な態様で両方のコードをリンクさせ、それらを用いて、画像材料を探索可能および／または検索可能にできる。
【００１９】
さらなる実施例に従うと、人はインターネットサイトを介して画像の写真プリントを注文可能である。フィルム材料を用いて作成された写真または画像は一般的に、非常に高い解像度を有する。そのような高い解像度の写真は一般的に、より低い解像度の画面に表示された場合に最大限には表示されない。さらにしばしば、画像のプリントをコンピュータが利用可能ではない場所で閲覧または示さなくてはならない必要がある。したがって、この実施例を用いると、人がたとえば紙上に物理的な写真プリントを得ることが可能になる。ここで、元のフィルム材料の最大限の解像度を用い得る。
【００２０】
この発明のさらなる局面は、以下を提供する。
【００２１】
画像を分配するための方法であって、
単回使用のための撮像装置の画像記憶手段内に画像データを記録するステップを含み、データは、画像データの識別のために第１のコードに関連付けられ、さらに、
ハウジングから第２のコードを除去または置き換えるステップと、
画像データが関連付けられる第１のコードと併せて、画像データを画像記憶手段からデータベースに転送するステップと、
コンピュータを用いてデータベースに接続し、第２のコードに基づいて画像データを検索するステップとを含み、
画像は第１のコードに関連付けられ、第１のコードは第２のコードと同じであるかまたは第２のコードは第１のコードに関連付けられる、方法。
【００２２】
上に特定された利点は、この方法にも同様に関連する。この発明に従うと、非常に簡単な態様で２つのコードの間の関連付けを用いることによりデジタルまたはプリントされた形式のいずれかで自作の画像または写真を得ることができ、写真を撮影した人が撮像装置のハウジングから画像情報へのアクセスを得るためのコードを得る。
【００２３】
この発明のさらなる利点、特徴および細部は、添付の図面に示される好ましい実施例に基づいて明らかとなる。
【発明を実施するための最良の形態】
【００２４】
この発明に従った好ましい実施例において（図１）、ステップ１において使い捨てカメラがコードにリンクされる。コードはここでたとえば、使い捨てカメラの（単回使用のためのカメラ）のハウジング上に配置される。さらに、感光性フィルムまたはデジタルメモリのような記録媒体上にコードを配置することも可能である。この方法のこのステップにおいて、任意の第２のコードがカメラ上にさらに配置される。この第２のコードは第１のものと同じであってもよいが、たとえばインターネットを介してアクセスされ得るサーバの少なくとも１つのアドレスを含む。この場合、第１および第２のコードは、たとえば数字および／または文字からなり得るインターネットアドレスを含む。この方法の目的は、カメラを用いて写真を撮影した人が、サーバに接触することによりそれらを閲覧し得るこ
とである。これにより、そのような使い捨てカメラを得た人が、カメラのコードを用いることによりサーバに置かれた写真にアクセスし、写真を得てたとえば簡単な態様でそれらを他人に見せることが可能になる。
【００２５】
特定の局面は、第２のコードは、カメラから除去可能であってコードおよび／またはインターネットアドレスを記憶する支援として用い得ることである。
【００２６】
ステップ２において、コードを設けられたカメラは写真の撮影を所望する人に配布される。人はしばしば、カメラを持たずに行事の場所に到着するか、アミューズメントパークにいる。そのような場合において、この発明に従ったコードを設けられたカメラがその人に利用可能にされる。写真が撮影された後で（ステップ３）、カメラは提出され、人は第２のコードを保持するか記憶する。彼は、たとえばカメラからコードを備えた切り取り細片を除去するか（ステップ４）、またはコードが配置されたパッケージを保持する。写真を撮影した、写真を閲覧することを所望する人によるコードの保持は、ステップ５である。その代替例は、写真が撮影された後に、たとえばカメラが提出された場合に、第１のコードがカメラに配置されることである。このとき、人は彼が写真へのアクセスを得る第２のコードを得る。切り取り細片の代替例として、ステッカー、カメラからの除去が可能な部品、カメラのパッケージング、カメラのハウジング、またはカメラに印刷されたコードを書き留めることまたは記憶することが想定され得る。さらに、たとえば、第１のコードが配置される封筒をカメラとともに供給し、第２のコードはカメラが送付または提出された後で人により保持され得る切り取り細片上に配置されることが可能である。
【００２７】
少なくとも第１のコードを備えたカメラは、さらにその人から現像組織へ返され、これは写真をデータバンクに置き、ここで写真は第１および第２のコードに関連付けられる。この目的で、カメラには郵便住所が付与されて、カメラは郵便ポストに投函されてもよい。さらに、カメラは集中的に収集され、行事の間にさらに処理されてそこで手渡されてもよい。
【００２８】
アナログカメラの場合にはフィルムは現像され、またはメモリが読出される（ステップ６）。後に、インターネットを介して写真が利用可能にされ（ステップ８）、写真へのアクセスが（第２の）コードに基づき得られる（ステップ９）。この期間は、フィルムが現像されるかまたはデジタルメモリが読出された後の数日間から数分にさえばらつきがあり得る。
【００２９】
ステップ９において、写真を撮影した人および／またはその人からコードを得た第三者は、インターネットアクセスを提供する装置によりアクセスを得る。ここで、この目的のために好適である、ＰＣ、セットトップボックス、携帯電話、遊戯装置、パームトップコンピュータなどのような、さまざまな装置を想定することが可能である。
【００３０】
図２は、この発明に従った、写真を撮影してそれを得るシステムを概略的に示す。単回使用のためのカメラは、第１のコード１２および第２のコード１３を設けられる。ここで第１のコードは、感光性フィルムまたはデジタルメモリのような画像メモリ部材を識別する役割を果たす。好ましくは、第２のコード１３はインターネットアドレスまたはＵＲＬを含む。好ましくは、第２のコードはデータベース８０内でフィルムの写真を突き止めるための第１のコード（の一部）をさらに含む。これは、写真を撮影する人がコードに基づいて写真へのアクセスを得るために重要である。
【００３１】
第１のコードは公知の態様で、たとえば英数字形式でまたはバーコードの形式でアセンブルされる。第２のコード１３は、カメラ上にまたはそのパッケージング上に、人が読取り可能でありかつコンピュータに入力可能な態様で示される。ここで、第２のコードは、
人が写真の現像およびコンピュータへの入力のためにカメラを提出する前に人がコードを取り外して保持するように、カメラから除去可能であることが推奨される。第２のコードは、たとえば取り外し可能ステッカーまたは切り取り細片によりカメラに固定される。第２のコードは、カメラのパッケージングにも配置可能である。もしカメラ内のフィルムが第１のコードとして用い得るコーディングを設けられていれば、たとえばパッケージングに第２のコードとして用い得る異なったコードを設け、かつこれらのコードを、第１のコードと第２のコードとの間の接続が、写真がデータベースに記憶されてコードにリンクされた場合に、たとえば写真がすべて記録に記憶されているので、写真へのアクセスを得るのに好適であるように、データベース内で互いにリンクさせることが実用的であり得る。
【００３２】
単回使用のためのカメラ上への第１および第２のコードの付与は、これによりデジタル化された写真への簡単なアクセスを提供する。写真のプリントがさらに注文可能である。インターネットを介した公知の態様で写真の低解像度表示が示され得るが、同様に公知の態様で定められた条件下で高解像度プリントまたはダウンロードが利用可能にされ得る。
【００３３】
図２は、カメラで写真を撮影した人が、写真を撮影した後に第１のコードを備えたカメラをポストまたは提出ポイントのような搬送システムを介して現像およびデジタル化ステーション６０に送る前に、どのようにカメラから第２のコード１３を除去するか、またはコードを備えたパッケージングを保持するかをさらに示す。ここでコード１２を備えたカメラ１１からフィルムが取り出されて現像され、写真６１、６２、６３・・・がデジタル化され、デジタル化された写真とコード１２との間に関連付けが行なわれる。
【００３４】
カメラ１１の特定の実施例に依存して、これは完全にまたは部分的に再利用可能である。
【００３５】
コード１２を含むデータおよび写真の画像データはデータベース８０内に記憶される。ここで画像データを高解像度で記憶するか、または高解像度および低解像度の両方で記憶するか、または低解像度のみで記憶することが可能である。これは、後の段階での画像の用途の所望の形式に依存する。もし画像を画面を介して検索することしか必要でなければ、高品質のプリントが要求される場合よりも、低い解像度で十分である。高解像度および低解像度で画像を保存することに関する１つの考察は低解像度画像を検索する場合のサーバの計算能力を節約することであり、該計算能力は高解像度画像に基づく低解像度画像を生成することを要求される。
【００３６】
インターネットアクセスを得るための装置９０−１を用いて、人はデータ１２、６１、６２、６３・・・を記憶したデータベース８０を備えたサーバに接触可能であるが、これはその人が保持しているか任意で記憶している第２のコード１３に基づく。データ１２、６１、６２、６３・・・はここでサーバから装置９０−１に転送される。特定されたように、この装置はＰＣ、携帯電話、パームトップコンピュータ、遊戯装置、などであり得る。画像または写真はディスプレイ画面９０−２に示される。
【００３７】
写真をプリントとして得ることがさらに可能である。この場合、画像はプリントされて、たとえば郵便によりその人にまたはこの目的でコード１３を得たさらなる人へ送られる。
【００３８】
この実施例は、上述の実施例に限定されない。その多くの変形例がこの発明の概念内に当てはまり得る。求められる権利は添付の特許請求の範囲に記載される。
【図面の簡単な説明】
【００３９】
【図１】この発明に従った方法のフロー図である。
【図２】この発明に従ったさらなる実施例のブロック図である。
【図１】
2005526428.tif 000003
【図２】
2005526428.tif 000004
【手続補正書】
【提出日】平成16年12月17日(2004.12.17)
【手続補正１】
【補正対象書類名】特許請求の範囲
【補正対象項目名】全文
【補正方法】変更
【補正の内容】
【特許請求の範囲】
【請求項１】
広域コンピュータネットワークを介して、撮像装置により作成された画像を利用可能にするためのシステムであって、前記撮像装置は、ハウジングと、前記ハウジング内に配置された、画像データを記憶するための画像記憶手段と、前記画像記憶手段に関連付けられた、その識別のための第１のコードと、データベース内の画像データを突き止めるためのデータベース突き止めコードとを含み、前記システムは、
コンピュータネットワークに接続可能であって、前記データベース突き止めコードを入力しかつ画像を閲覧するための少なくとも１つの第１のコンピュータと、
コンピュータネットワークに接続可能であって、画像を記憶するための少なくとも１つのデータベースおよび、画像データを前記データベースに転送するための画像データ転送手段を含む少なくとも１つの第２のコンピュータとを含み、
画像は前記第１のコードに関連付けられ、前記第１のコードは前記データベース突き止めコードと同じであるかまたは前記第２のコードは前記第１のコードに関連付けられる、システム。
【請求項２】
少なくとも１つの請求項１に記載の撮像装置を含み、前記撮像装置の前記第１のコードおよび前記データベース突き止めコードは前記データベース内の前記第１のコードに対応する、請求項１に記載のシステム。
【請求項３】
前記第１のコードは前記データベース内のフィールドである、請求項１または請求項２に記載のシステム。
【請求項４】
前記データベース突き止めコードはインターネットアドレスを含む、請求項１から請求項３のうちの１つ以上に記載のシステム。
【請求項５】
前記データベース突き止めコードの少なくとも一部分は前記データベース内のフィールドにおいて探索可能である、前記請求項のうちの１つ以上に記載のシステム。
【請求項６】
前記データベースはインターネットサイトを介してアクセス可能である、請求項１から請求項５のうちの１つ以上に記載のシステム。
【請求項７】
前記第１のコードの一部はインターネットアドレス（ＵＲＬ）を含む、請求項６に記載のシステム。
【請求項８】
人が前記インターネットサイトを介して前記第２のコンピュータから前記第１のコンピュータへ画像をダウンロード可能である、請求項１から請求項６のうちの１つ以上に記載のシステム。
【請求項９】
人が前記インターネットサイトを介して画像を備えた写真プリントを注文可能である、請求項９から請求項１５のうちの１つ以上に記載のシステム。
【請求項１０】
単回使用の撮像装置であって、
ハウジングと、
前記ハウジング内に配置された、画像データを記憶するための画像記憶手段と、
前記画像記憶手段またはデータベース内の記録された画像を識別するための第１の識別コードとを含み、前記第１の識別コードは前記画像記憶手段に関連付けられ、撮像装置はさらに、
広域コンピュータネットワーク上でデータベースを突き止めるためのデータベース突き止めコードを含む、撮像装置。
【請求項１１】
前記第１のコードは前記画像記憶手段に関連付けられる、請求項１０に記載の撮像装置。
【請求項１２】
前記第１のコードは前記ハウジングに関連付けられる、請求項１０または請求項１１に記載の撮像装置。
【請求項１３】
前記データベース突き止めコードは、前記ハウジングに取り外し可能に接着されるラベルのようなコーディング手段上に配置される、前記請求項１０から請求項１２のうちの１つ以上に記載の撮像装置。
【請求項１４】
前記データベース突き止めコードは、前記撮像装置のパッケージング上に配置される、前記請求項１０から請求項１３のうちの１つ以上に記載の撮像装置。
【請求項１５】
前記画像記憶手段は写真用フィルムを含む、前記請求項１０から請求項１４のうちの１つ以上に記載の撮像装置。
【請求項１６】
前記画像記憶手段はデジタル記憶手段を含み、前記撮像装置は画像情報を記録するためのデジタル撮像手段をさらに含む、請求項１０から請求項１５のうちの１つ以上に記載の撮像装置。
【請求項１７】
前記撮像装置は請求項１０から請求項１６のうちの１つ以上に記載のものである、請求項２から請求項９のうちの１つ以上に記載のシステム。
【請求項１８】
画像を分配するための方法であって、
単回使用のための撮像装置の画像記憶手段内に画像データを記録するステップを含み、前記データは、前記画像記憶手段またはデータベース内の記録された画像を識別するための第１の識別コードに関連付けられ、前記第１の識別コードは前記画像記憶手段に関連付けられ、方法はさらに、
ハウジングからデータベース突き止めコードを除去または置き換えるステップと、
前記画像データが関連付けられた前記第１の識別コードと併せて、前記画像データを画像記憶手段からデータベースに広域コンピュータネットワークを介して転送するステップ
と、
コンピュータおよび広域コンピュータネットワークを用いて前記データベースに接続し、前記データベース突き止めコードに基づいて前記画像データを検索するステップとを含み、
前記画像は前記第１のコードに関連付けられ、前記第１のコードは前記第２のコードと同じであるかまたは前記データベース突き止めコードは前記第１のコードに関連付けられる、方法。
【請求項１９】
所望の画像を選択するステップと、
選択された画像をプリントするステップと、
プリントされた画像を送るステップとをさらに含む、請求項１８に記載の方法。
【国際調査報告】
2005526428.tif 000005
2005526428.tif 000006